(57)【要約】【課題】簡易かつ軽量コンパクトでありながら、誤操作を防止することが可能な波形ロッカースイッチを提供すること目的とする。【解決手段】波形スイッチのオンオフ切替動作が入力されるオンオフ切替押圧部と、波形スイッチのオンオフ切替動作を抑止する切替動作抑止部と、オンオフ切替押圧部へのオンオフ切替動作作用と異なる向きの抑止解除動作が作用されて切替動作抑止部の抑止を解除する抑止解除動作作用部とを備える波形スイッチのロッカーとする。【選択図】図１
2010212080.tif 000002
【特許請求の範囲】
【請求項１】
波形スイッチのオンオフ切替動作が入力されるオンオフ切替押圧部と、前記波形スイッチのオンオフ切替動作を抑止する切替動作抑止部と、前記オンオフ切替押圧部へのオンオフ切替動作作用と異なる向きの抑止解除動作が作用されて前記切替動作抑止部の抑止を解除する抑止解除動作作用部と、を備える
ことを特徴とする波形スイッチのロッカー。
【請求項２】
請求項１に記載の波形スイッチのロッカーにおいて、
前記抑止解除動作作用部は、前記切替動作抑止部に備えられる
ことを特徴とする波形スイッチのロッカー。
【請求項３】
請求項１または請求項２に記載の波形スイッチのロッカーにおいて、
前記切替動作抑止部は、
前記オンオフ切替押圧部が押圧状態でない場合に、前記ロッカーを内装するスイッチケースの内縁に対して凸状態となって前記オンオフ切替押圧部の押圧動作を抑止し、前記抑止解除動作作用により、前記スイッチケースの内縁に対する凸状態を解除して前記スイッチケース内に嵌挿可能となる
ことを特徴とする波形スイッチのロッカー。
【請求項４】
請求項３に記載の波形スイッチのロッカーにおいて、
前記切替動作抑止部は、前記スイッチケースの内縁と対向する対向面に設けられる踏切板状弾性部材である
ことを特徴とする波形スイッチのロッカー。
【請求項５】
請求項３に記載の波形スイッチのロッカーにおいて、
前記切替動作抑止部は、前記スイッチケースの内縁と対向する対向面に設けられ、自由状態において突出し、前記抑止解除動作入力により前記対向面に嵌挿される
ことを特徴とする波形スイッチのロッカー。
【請求項６】
請求項１乃至請求項５のいずれか一項に記載のロッカーを備える波形ロッカースイッチ。
【請求項７】
請求項６に記載の波形ロッカースイッチのオンオフ切替方法であって、
前記ロッカースイッチのオンオフを切替える場合に、
前記ロッカーに対して、
前記オンオフ切替押圧部を押圧する押圧力と、前記オンオフ切替押圧部への押圧力と異なる向きの前記抑止解除力とを付与する工程
を有することを特徴とする波形ロッカースイッチのオンオフ切替方法。
【発明の詳細な説明】
【技術分野】
【０００１】
本発明は、誤操作を防止する波形ロッカースイッチとそのロッカーと波形ロッカースイッチのオンオフ切替方法に関する。
【背景技術】
【０００２】
通信装置等の電源投入用スイッチとして、波形ロッカースイッチが多用される。波形ロッカースイッチは、トグルスイッチやプッシュスイッチ、キースイッチ等に比較して、外観や構造、大きさの点で一般ＯＡ事務機器に向くとされている。
【０００３】
波形ロッカースイッチは、突起部が比較的少なくデザイン性にも優れており、比較的安価かつ馴染みやすい操作感覚を有している。このため、日常的にスイッチ操作される一般ＯＡ事務機器に用いられ、また操作性向上の観点から比較的操作し易い箇所に波形ロッカースイッチが配置される場合もある。
【０００４】
また、スイッチ操作者に対する操作性の向上と、それに伴う誤操作による予期せぬ電源投入・切断の切替誤動作の防止とを両立する目的で、種々の誤操作を防止する手段が提案されている。
【０００５】
例えば下記特許文献１には、誤操作を防止するために操作ロックレバーを設けた波形スイッチが開示されている。また、特許文献１には、スイッチを操作する場合に、操作者が操作ロックレバーを押し上げてスイッチ操作することが記載されている。
【０００６】
また、下記特許文献２には、スイッチ操作部に略半分を覆う摺動可能なカバーを備えた誤操作防止カバー付波形スイッチが提案されている。また、特許文献２には、スイッチを操作する場合に、操作者がカバーを摺動させて操作面を露出させた上でスイッチ操作することが開示されている。
【先行技術文献】
【特許文献】
【０００７】
【特許文献１】特開２００６−２１６４８４号公報
【特許文献２】実開平５−１７８８１号公報
【発明の概要】
【発明が解決しようとする課題】
【０００８】
しかし、誤操作を防止する従来の波形ロッカースイッチは、いずれも複数の部品に対する加工が必要であり構造が複雑であるので、比較的高価かつ比較的大型化する傾向にあった。そこで、簡易かつ軽量コンパクトでありながら、誤操作を防止することが可能な波形ロッカースイッチが望まれるところであった。
【０００９】
本発明は、上述の問題点に鑑み為されたものであり、簡易かつ軽量コンパクトでありながら、誤操作を防止することが可能な波形ロッカースイッチを提供すること目的とする。
【課題を解決するための手段】
【００１０】
この発明にかかる波形スイッチのロッカーは、波形スイッチのオンオフ切替動作が入力されるオンオフ切替押圧部と、波形スイッチのオンオフ切替動作を抑止する切替動作抑止部と、オンオフ切替押圧部へのオンオフ切替動作作用と異なる向きの抑止解除動作が作用されて切替動作抑止部の抑止を解除する抑止解除動作作用部とを備える。
【００１１】
また、この発明にかかる波形スイッチのロッカーは、好ましくは抑止解除動作作用部が、切替動作抑止部に備えられてもよい。
【００１２】
また、この発明にかかる波形スイッチのロッカーは、さらに好ましくは切替動作抑止部が、オンオフ切替押圧部が押圧状態でない場合に、ロッカーを内装するスイッチケースの内縁に対して凸状態となってオンオフ切替押圧部の押圧動作を抑止し、抑止解除動作作用により、スイッチケースの内縁に対する凸状態を解除してスイッチケース内に嵌挿可能となってもよい。
【００１３】
また、この発明にかかる波形スイッチのロッカーは、さらに好ましくは切替動作抑止部が、スイッチケースの内縁と対向する対向面に設けられる踏切板状弾性部材であってもよい。
【００１４】
また、この発明にかかる波形スイッチのロッカーは、さらに好ましくは切替動作抑止部が、スイッチケースの内縁と対向する対向面に設けられ、自由状態において突出し、抑止解除動作入力により対向面に嵌挿されてもよい。
【００１５】
また、この発明にかかる波形ロッカースイッチは、上述に記載のロッカーを備えることを特徴とする。
【００１６】
また、この発明にかかる波形ロッカースイッチのオンオフ切替方法は、ロッカースイッチのオンオフを切替える場合に、ロッカーに対して、オンオフ切替押圧部を押圧する押圧力と、オンオフ切替押圧部への押圧力と異なる向きの抑止解除力とを付与する工程を有する。
【発明の効果】
【００１７】
簡易かつ軽量コンパクトでありながら、誤操作を防止することが可能な波形ロッカースイッチを提供できる。
【図面の簡単な説明】
【００１８】
【図１】第一の実施形態にかかる波形ロッカースイッチの外観を説明する概念図である。
【図２】波形ロッカースイッチを斜めから観察した状態を説明する斜視図である。
【図３】波形ロッカースイッチのＡ−Ａ′断面を説明する断面図である。
【図４】従来の波形ロッカースイッチについて簡単に説明する概念図である。
【図５】第二の実施形態にかかる波形ロッカースイッチの構成を説明する模式図である。
【図６】第三の実施形態にかかる波形ロッカースイッチの構成を説明する模式図である。
【図７】第四の実施形態にかかる波形ロッカースイッチの概要を説明する模式図である。
【図８】第五の実施形態にかかる波形ロッカースイッチの構成を説明する模式図である。
【図９】第六の実施形態にかかる波形ロッカースイッチの構成を説明する模式図である。
【発明を実施するための形態】
【００１９】
電子機器装置の製造業者は、装置の電源スイッチなどが操作者の意思に反した誤操作により投入・切断される状況を想定し、これを防止するために種々の対策を講じている。例えば、予期せぬ原因でスイッチ部分に物体が衝突し、その衝撃またはその押圧力でスイッチがオフ（電源断状態）、またはスイッチがオン（電源投入状態）となる場合も想定される。
【００２０】
予期せぬスイッチの切替を防止するために、装置スイッチ部の装置構造を凹まして、物体がスイッチ部分に接触し難くするなどの対策が講じられる。しかし、このような対策は、誤操作の機会を低減させることができるものの、根本的な対応とはいうことはできない。そこで、安価かつ軽量コンパクトでありながらより確実に誤操作を防止可能な波形ロッカースイッチが望まれる。
【００２１】
実施形態で説明する波形ロッカースイッチは、従来のロッカーを、典型的には一体成形されたストッパー片を備えたロッカーへと交換するだけで、その余の構成部品等には加工や追加付属品を要することなく、誤操作を防止することができるものとなる。ストッパー片は、ロッカーとスイッチケースとが対向するロッカーの側面に、スイッチ押圧動作が抑止されるように設ける。ストッパー片は、切替動作抑止部に対応する。
【００２２】
実施形態で説明する波形ロッカースイッチは、パネルタイプのロッカースイッチにも好適であり、取り付け部や取り付け部材等には変更や加工を要することなく、誤操作を防止できる。なお、ロッカーとは後述するように、スイッチ操作部を構成する部材である。
【００２３】
（第一の実施形態）
図１は、第一の実施形態にかかる波形ロッカースイッチ１００（１）の外観を説明する概念図である。図１（ａ）と図１（ｂ）とは、各々スイッチ押圧状態がオンまたはオフで相互に異なるオン状態またはオフ状態を説明する図である。
【００２４】
図１において、波形ロッカースイッチ１００（１）は、スイッチ操作者のオンオフ操作により動作するロッカー１１０（１）を備える。ロッカー１１０（１）は、スイッチ操作者の押圧動作を受ける第一オンオフ切替押圧部１１５ａ（１）と第二オンオフ切替押圧部１１５ｂ（１）とを備える。第一オンオフ切替押圧部１１５ａ（１）と第二オンオフ切替押圧部１１５ｂ（１）とは、いずれか一方が凸である場合に他方が凹となるように動作する。
【００２５】
スイッチ操作者は、第一オンオフ切替押圧部１１５ａ（１）と第二オンオフ切替押圧部１１５ｂ（１）との凸側となるいずれか一方を押圧することで、波形ロッカースイッチ１００（１）のオンとオフとを切り替えることができる。また、波形ロッカースイッチ１００（１）は、オンオフ切替動作を抑止する第一切替動作抑止部１４０ａ（１）と第二切替動作抑止部１４０ｂ（１）を備える。
【００２６】
また、ロッカー１１０（１）は、スイッチケース１２０の中に内装される。また、スイッチケース１２０の背面側には、複数の電極端子１３０が突出して設けられる。図１（ａ）に示すように、第一切替動作抑止部１４０ａ（１）は板バネ状の形状を有する。
【００２７】
第一切替動作抑止部１４０ａ（１）は、第二切替動作抑止部１４０ｂ（１）がスイッチケース１２０の中に収納された状態において、スイッチケース１２０の内縁１２１に板バネ状の一端が掛かるように突出する。板バネ状の第一切替動作抑止部１４０ａ（１）の多端は、ロッカー１１０（１）の第一オンオフ切替押圧部１１５ａ（１）近傍において、ロッカー１１０（１）上面と一体的に成形される。
【００２８】
また、第二切替動作抑止部１４０ｂ（１）は、第一切替動作抑止部１４０ａ（１）がスイッチケース１２０の中に収納された状態において、スイッチケース１２０の内縁１２２に板バネ状の一端が掛かるように突出する。板バネ状の第二切替動作抑止部１４０ｂ（１）の多端は、ロッカー１１０（１）の第二オンオフ切替押圧部１１５ｂ（１）近傍において、ロッカー１１０（１）の上面と一体的に成形される。
【００２９】
すなわち、第一切替動作抑止部１４０ａ（１）と第二切替動作抑止部１４０ｂ（１）とが、各々押圧されてスイッチケース１２０内に収納される場合には、各板バネが縮んだ状態となって内縁１２１，１２２の内側に収納される。また、第一切替動作抑止部１４０ａ（１）と第二切替動作抑止部１４０ｂ（１）とは、スイッチケース１２０内から露出する場合には、板バネが伸びた状態となって内縁１２１，１２２の外側に突出する。
【００３０】
図２は、波形ロッカースイッチ１００（１）を斜めから観察した状態を説明する斜視図である。図２に示すように、ロッカー１１０（１）は、押圧上面２１０から連続した板バネ状の第一切替動作抑止部１４０ａ（１）と第二切替動作抑止部１４０ｂ（１）とを備える。
【００３１】
また、図３は、図１（ａ）に示す波形ロッカースイッチ１００（１）のＡ−Ａ′断面を説明する断面図である。図３において、ロッカー１１０（１）は、スイッチケース３１０ａ（１）に嵌挿される。また、ロッカー１１０（１）は、ロッカー支点３３０を中心に所定の回動範囲内で回動する。
【００３２】
また、ロッカー１１０（１）は、押しバネ３４０により、押し棒３５０を介して可動片３６０に対して相対的に所定の押圧力を加えられる。この相対的な所定の押圧力により、可動片３６０は、接点３７０と確実に接触することができる。なお、可動片３６０は、共通端子３９０の支点３９５を中心に、一定の回動範囲内で回動して、二つの接点３７０のいずれか一方と共通端子３９０との間の電気的接続を担う。
【００３３】
二つの接点３７０は、各々固定電極端子３８０ａ，３８０ｂと電気的に接続される。また、固定電極端子３８０ａ，３８０ｂには、不図示の外部配線が接続される。図３において、ロッカー１１０（１）の上面にある第一オンオフ切替押圧部１１５ａ（１）には、スイッチ操作者からの押圧力Ｆ１が加えられる。
【００３４】
スイッチ操作者からの押圧力Ｆ１が加えられても、図３に示すように、第一切替動作抑止部１４０ａ（１）の下端が、スイッチケース３１０ａ（１）の内縁３２０ａ（１）に対してストッパーとなることから、このままでは波形ロッカースイッチ１００（１）のオンオフ切替えはできない。
【００３５】
そこで、スイッチ操作者は、押圧力Ｆ１と異なる向きの抑止解除力Ｆ２を抑止解除動作作用部１４５ａ（１）に加える。第一切替動作抑止部１４０ａ（１）は、スイッチ操作者が抑止解除動作作用部１４５ａ（１）に抑止解除力Ｆ２を加えることで、第一切替動作抑止部１４０ａ（１）の下端とスイッチケース３１０ａ（１）の内縁３２０ａ（１）との間でのストッパーが解除される。これにより、第一切替動作抑止部１４０ａ（１）は、スイッチケース３１０ａ（１）の内縁３２０ａ（１）内側に収納可能となる。
【００３６】
また、図３に示す状態では、第二切替動作抑止部１４０ｂ（１）は、スイッチケース３１０ｂ（１）の内縁３２０ｂ（１）に収納されている。スイッチ操作者が、押圧力Ｆ１と抑止解除力Ｆ２とをロッカー１１０（１）に加えることにより、オンオフ切替動作がされると、第二切替動作抑止部１４０ｂ（１）が、外方に展開してスイッチケース３１０ｂ（１）の内縁３２０ｂ（１）の外部へと突出する。これにより、第二切替動作抑止部１４０ｂ（１）の下端が、内縁３２０ｂ（１）に対してストッパーとなる。
【００３７】
ここで、比較のために従来の波形ロッカースイッチについて簡単に説明する。図４は、従来の波形ロッカースイッチ４００について簡単に説明する概念図である。図４に示すように、波形ロッカースイッチ４００は押圧力Ｆが加わることで、容易にオンオフが切り替わることが可能である。また、押圧力Ｆが何に起因するかを問わずに切り替わるので、予期せぬ衝撃や予期せぬ接触等によりオンオフが切り替わることとなる。
【００３８】
上述したように、波形ロッカースイッチ１００（１）は、スイッチ操作者が押圧力Ｆ１と、押圧力Ｆ１と異なる向きの抑止解除力Ｆ２との二つの力をロッカー１１０（１）に加えた場合にオンオフ切替え動作ができる。このため、波形ロッカースイッチ１００（１）は、予期せぬ衝撃や予期せぬ接触等によりオンオフが切り替わることを抑止し、スイッチ操作者の確実なオンオフ切替え意図に基づいて切替え動作することができる。
【００３９】
また、波形ロッカースイッチ１００（１）は、スイッチ操作者が片手で押圧力Ｆ１と異なる向きの抑止解除力Ｆ２との二つの力をロッカー１１０（１）に加えることが可能であるので、操作性の点においても優れる。また、波形ロッカースイッチ１００（１）は、ロッカー１１０（１）のみの形状変更で対応可能であるので、他の部品等への加工や組み立て変更等を要さず、安価かつ軽量で簡易な構成となる。
【００４０】
なお、波形ロッカースイッチ１００（１）は、第一切替動作抑止部１４０ａ（１）と第二切替動作抑止部１４０ｂ（１）とを共に備えてもよく、いずれか一方のみを備えてもよい。
【００４１】
（第二の実施形態）
図５は、第二の実施形態にかかる波形ロッカースイッチ１００（２）の構成を説明する模式図である。図５においては、図３と対応する部位には対応する符号を付して、説明の重複を避けるためにここではその説明を簡便にすることとする。
【００４２】
図５において、ロッカー１１０（２）は、スイッチケース３１０ａ（１）に嵌挿される。また、ロッカー１１０（２）は、ロッカー支点３３０を中心に所定の回動範囲内で回動する。
【００４３】
また、ロッカー１１０（２）の上面にある第一オンオフ切替押圧部１１５ａ（２）には、スイッチ操作者からの押圧力Ｆ１が加えられる。スイッチ操作者からの押圧力Ｆ１が第一オンオフ切替押圧部１１５ａ（２）に加えられても、図５に示すように、第一切替動作抑止部１４０ａ（２）の外側段差部が、スイッチケース３１０ａ（１）の内縁３２０ａ（１）に対して引っ掛かりストッパーとなることから、このままでは波形ロッカースイッチ１００（２）のオンオフ切替えはできない。
【００４４】
そこで、スイッチ操作者は、押圧力Ｆ１と異なる向きの抑止解除力Ｆ２を抑止解除動作作用部１４５ａ（２）に加える。第一切替動作抑止部１４０ａ（２）は、スイッチ操作者が抑止解除動作作用部１４５ａ（２）に抑止解除力Ｆ２を加えることで、第一切替動作抑止部１４０ａ（２）の外側段差部とスイッチケース３１０ａ（１）の内縁３２０ａ（１）とによるストッパーが解除される。これにより、第一切替動作抑止部１４０ａ（２）は、スイッチケース３１０ａ（１）の内縁３２０ａ（１）内側に収納可能となる。
【００４５】
また、図５には示していないが、第二切替動作抑止部１４０ｂ（２）を設けてもよい。第二切替動作抑止部１４０ｂ（２）は、スイッチケース３１０ｂ（１）の内縁３２０ｂ（１）に収納される。スイッチ操作者が、押圧力Ｆ１と抑止解除力Ｆ２とをロッカー１１０（２）に加えることによりオンオフ切替動作がされると、第二切替動作抑止部１４０ｂ（２）が、外方に展開してスイッチケース３１０ｂ（１）の内縁３２０ｂ（１）の外部へと突出する。これにより、第二切替動作抑止部１４０ｂ（２）の外側段差部が、内縁３２０ｂ（１）に対してストッパーとなる。
【００４６】
なお、波形ロッカースイッチ１００（２）は、第一切替動作抑止部１４０ａ（２）と第二切替動作抑止部１４０ｂ（２）とを共に備えてもよく、いずれか一方のみを備えてもよい。
【００４７】
（第三の実施形態）
図６は、第三の実施形態にかかる波形ロッカースイッチ１００（３）の構成を説明する模式図である。図６においては、図３，図５と対応する部位には対応する符号を付して、説明の重複を避けるためにここではその説明を簡便にすることとする。
【００４８】
図６において、ロッカー１１０（３）は、スイッチケース３１０ａ（１）に嵌挿される。また、ロッカー１１０（３）は、ロッカー支点３３０を中心に所定の回動範囲内で回動する。
【００４９】
また、ロッカー１１０（３）の上面にある第一オンオフ切替押圧部１１５ａ（３）には、スイッチ操作者からの押圧力Ｆ１が加えられる。スイッチ操作者からの押圧力Ｆ１が第一オンオフ切替押圧部１１５ａ（２）に加えられても、図６に示すように、第一切替動作抑止部１４０ａ（３）の外側段差部が、スイッチケース３１０ａ（１）の内縁３２０ａ（１）に対して引っ掛かりストッパーとなることから、このままでは波形ロッカースイッチ１００（３）のオンオフ切替えはできない。
【００５０】
そこで、スイッチ操作者は、押圧力Ｆ１と異なる向きの抑止解除力Ｆ２を抑止解除動作作用部１４５ａ（３）に加える。第一切替動作抑止部１４０ａ（３）は、スイッチ操作者が抑止解除動作作用部１４５ａ（３）に抑止解除力Ｆ２を加えることで、第一切替動作抑止部１４０ａ（３）の外側段差部とスイッチケース３１０ａ（１）の内縁３２０ａ（１）との間でのストッパーが解除される。これにより、第一切替動作抑止部１４０ａ（３）は、スイッチケース３１０ａ（１）の内縁３２０ａ（１）内側に収納可能となる。
【００５１】
また、図６には示していないが、第二切替動作抑止部１４０ｂ（３）を設けてもよい。第二切替動作抑止部１４０ｂ（３）は、スイッチケース３１０ｂ（１）の内縁３２０ｂ（１）に収納される。スイッチ操作者が、押圧力Ｆ１と抑止解除力Ｆ２とをロッカー１１０（３）に加えることによりオンオフ切替動作がされると、第二切替動作抑止部１４０ｂ（３）が、外方に展開してスイッチケース３１０ｂ（１）の内縁３２０ｂ（１）の外部へと突出する。これにより、第二切替動作抑止部１４０ｂ（３）の外側段差部が、内縁３２０ｂ（１）に対してストッパーとなる。
なお、波形ロッカースイッチ１００（３）は、第一切替動作抑止部１４０ａ（３）と第二切替動作抑止部１４０ｂ（３）とを共に備えてもよく、いずれか一方のみを備えてもよい。
【００５２】
（第四の実施形態）
図７は、第三の実施形態にかかる波形ロッカースイッチ１００（４）の構成を説明する模式図である。図７においては、図３，図５，図６と対応する部位には対応する符号を付して、説明の重複を避けるためにここではその説明を簡便にすることとする。
【００５３】
図７において、ロッカー１１０（４）は、スイッチケース３１０に嵌挿される。また、ロッカー１１０（４）は、所定の回動範囲内で回動する。
【００５４】
また、ロッカー１１０（４）の上面にある不図示の第一オンオフ切替押圧部には、スイッチ操作者からの押圧力Ｆ１が加えられる。スイッチ操作者からの押圧力Ｆ１が第一オンオフ切替押圧部に加えられても、図７に示すように、第一切替動作抑止部７１０ａと第二切替動作抑止部７１０ｂとの外側段差部が、スイッチケース３１０の内縁３２０（４）に対して引っ掛かりストッパーとなることから、このままでは波形ロッカースイッチ１００（４）のオンオフ切替えはできない。
【００５５】
そこで、スイッチ操作者は、押圧力Ｆ１と異なる向きの抑止解除力Ｆ２を不図示の抑止解除動作作用部に加える。第一切替動作抑止部７１０ａと第二切替動作抑止部７１０ｂとは、スイッチ操作者が抑止解除動作作用部に抑止解除力Ｆ２を加えることで、第一切替動作抑止部７１０ａと第二切替動作抑止部７１０ｂとの外側下端と、スイッチケース３１０の内縁３２０（４）との間でのストッパーが解除される。これにより、第一切替動作抑止部７１０ａと第二切替動作抑止部７１０ｂとは、スイッチケース３１０の内縁３２０（４）内側に収納可能となる。
【００５６】
また、図７には示していないが、図７で内縁３２０（４）内側に挿入されて隠れているロッカー１１０（４）の側面に、第一切替動作抑止部７１０ａと第二切替動作抑止部７１０ｂとを設けてもよい。波形ロッカースイッチ１００（４）は、第一切替動作抑止部７１０ａと第二切替動作抑止部７１０ｂとを共に備えてもよく、いずれか一方のみを備えてもよい。また、内縁３２０（４）内側に挿入され得るロッカー１１０（４）の四つの側面のうち、少なくとも一つの側面に切替動作抑止部を設けてもよく、全ての側面に切替動作抑止部を設けてもよい。
【００５７】
（第五の実施形態）
図８は、第五の実施形態にかかる波形ロッカースイッチ１００（５）の構成を説明する模式図である。図７においては、図３，図５，図６，図７と対応する部位には対応する符号を付して、説明の重複を避けるためにここではその説明を簡便にすることとする。
【００５８】
図８において、ロッカー１１０（５）は、スイッチケース３１０ａ（２）に嵌挿される。また、ロッカー１１０（５）は、ロッカー支点３３０を中心に所定の回動範囲内で回動する。スイッチケース３１０ａ（２）の内壁は、内縁３２０ａ（２）にかけて段差のないスロープ状に形成してもよい。
【００５９】
また、ロッカー１１０（５）の上面にある第一オンオフ切替押圧部１１５ａ（５）には、スイッチ操作者からの押圧力Ｆ１が加えられる。スイッチ操作者からの押圧力Ｆ１が第一オンオフ切替押圧部１１５ａ（５）に加えられても、図８に示すように、第一切替動作抑止部１４０ａ（５）が、スイッチケース３１０ａ（２）の内縁３２０ａ（２）に対して引っ掛かりストッパーとなることから、このままでは波形ロッカースイッチ１００（５）のオンオフ切替えはできない。
【００６０】
第一切替動作抑止部１４０ａ（５）は、ロッカー１１０（５）の側面に設けられた挿入孔にバネ等による力で側面から突出可能に係止されてもよい。また、第一切替動作抑止部１４０ａ（５）は、ロッカー１１０（５）の任意の側面に、任意の数だけ設けてもよい。
【００６１】
そこで、スイッチ操作者は、押圧力Ｆ１と異なる向きの抑止解除力Ｆ２を抑止解除動作作用部１４５ａ（５）に加える。第一切替動作抑止部１４０ａ（５）は、スイッチ操作者が抑止解除動作作用部１４５ａ（５）に抑止解除力Ｆ２を加えることで、第一切替動作抑止部１４０ａ（５）とスイッチケース３１０ａ（２）の内縁３２０ａ（２）との間でのストッパーが解除される。これにより、第一切替動作抑止部１４０ａ（５）は、スイッチケース３１０ａ（２）の内縁３２０ａ（２）内側に収納可能となる。
【００６２】
また、図８には示していないが、第二切替動作抑止部１４０ｂ（５）を設けてもよい。第二切替動作抑止部１４０ｂ（５）は、スイッチケース３１０ｂ（２）の内縁３２０ｂ（２）に収納される。スイッチ操作者が、押圧力Ｆ１と抑止解除力Ｆ２とをロッカー１１０（５）に加えることによりオンオフ切替動作がされると、第二切替動作抑止部１４０ｂ（５）が、外方に展開してスイッチケース３１０ｂ（２）の内縁３２０ｂ（２）の外部へと突出する。これにより、第二切替動作抑止部１４０ｂ（５）が、内縁３２０ｂ（２）に対してストッパーとなる。
【００６３】
なお、波形ロッカースイッチ１００（５）は、第一切替動作抑止部１４０ａ（５）と第二切替動作抑止部１４０ｂ（５）とを共に備えてもよく、いずれか一方のみを備えてもよい。
【００６４】
（第六の実施形態）
図９は、第六の実施形態にかかる波形ロッカースイッチ１００（６）の構成を説明する模式図である。図９においては、上述した図８等と対応する部位には対応する符号を付して、説明の重複を避けるためにここではその説明を簡便にすることとする。
【００６５】
図９において、ロッカー１１０（６）は、スイッチケース３１０ａ（２）に嵌挿される。また、ロッカー１１０（６）は、ロッカー支点３３０を中心に所定の回動範囲内で回動する。
【００６６】
また、ロッカー１１０（６）の上面にある第一オンオフ切替押圧部１１５ａ（６）には、スイッチ操作者からの押圧力Ｆ１が加えられる。スイッチ操作者からの押圧力Ｆ１が第一オンオフ切替押圧部１１５ａ（６）に加えられても、図９に示すように、第一切替動作抑止部１４０ａ（６）が、スイッチケース３１０ａ（２）の内縁３２０ａ（２）に対して引っ掛かりストッパーとなることから、このままでは波形ロッカースイッチ１００（６）のオンオフ切替えはできない。
【００６７】
第一切替動作抑止部１４０ａ（６）は、ロッカー１１０（６）の側面に設けられた挿入孔にバネ９３０等による力で側面から突出可能に係止されてもよい。また、第一切替動作抑止部１４０ａ（６）は、ロッカー１１０（６）の任意の側面に、任意の数だけ設けてもよい。
【００６８】
そこで、スイッチ操作者は、押圧力Ｆ１と異なる向きの抑止解除力Ｆ２を抑止解除動作作用部１４５ａ（６）に加える。図９においては、リング状の引き輪９１０が、抑止解除動作作用部１４５ａ（６）を有することとなる。リング状の引き輪９１０は、第一オンオフ切替押圧部１１５ａ（６）に近接して配置され、ワイヤ９２０等により第一切替動作抑止部１４０ａ（６）と連接される。すなわち、リング状の引き輪９１０を引き挙げると、バネ９３０の伸び力に抗して第一切替動作抑止部１４０ａ（６）がロッカー１１０（６）内に収納される。
【００６９】
第一切替動作抑止部１４０ａ（６）は、スイッチ操作者が抑止解除動作作用部１４５ａ（６）に抑止解除力Ｆ２を加えることで、第一切替動作抑止部１４０ａ（６）とスイッチケース３１０ａ（２）の内縁３２０ａ（２）との間でのストッパーが解除される。これにより、第一切替動作抑止部１４０ａ（６）は、スイッチケース３１０ａ（２）の内縁３２０ａ（２）内側に収納可能となる。
【００７０】
また、図９には示していないが、第二切替動作抑止部１４０ｂ（６）を設けてもよい。第二切替動作抑止部１４０ｂ（６）は、スイッチケース３１０ｂ（２）の内縁３２０ｂ（２）に収納される。スイッチ操作者が、押圧力Ｆ１と抑止解除力Ｆ２とをロッカー１１０（６）に加えることによりオンオフ切替動作がされると、第二切替動作抑止部１４０ｂ（６）が、外方に展開してスイッチケース３１０ｂ（２）の内縁３２０ｂ（２）の外部へと突出する。これにより、第二切替動作抑止部１４０ｂ（６）が、内縁３２０ｂ（２）に対してストッパーとなる。
【００７１】
なお、波形ロッカースイッチ１００（６）は、第一切替動作抑止部１４０ａ（６）と第二切替動作抑止部１４０ｂ（６）とを共に備えてもよく、いずれか一方のみを備えてもよい。
【００７２】
上述した波形ロッカースイッチ１００は、実施形態での説明に限定されることはなく、自明な範囲でその構成を変更して用いることができる。また、各実施形態で説明した波形ロッカースイッチ１００は、各々の実施形態での説明に限定されることはなく、適宜組み合わせまたは取捨選択適用して用いてもよい。
【００７３】
各実施形態で説明した波形ロッカースイッチ１００は、簡易な構造で安価かつ小型・軽量にスイッチの誤操作を抑止することが可能であるので好ましい。また、波形ロッカースイッチ１００は、スイッチ操作者によるスイッチ操作性を損なうことなく、片手のワンモーションでスイッチ操作することが可能であるので好ましい。また、上述の各波形ロッカースイッチ１００は、スイッチ操作者からの異なる２方向の力が加わると、オンオフ切り替え動作が可能となるので、予期せぬ誤動作を抑止しスイッチ操作者の確実な操作意図に基づいた動作が可能となる。
【００７４】
また、波形ロッカースイッチ１００は、ポリアセタール（ＰＯＭ）で作成してもよい。ポリアセタールは、機械的強度に優れ耐摩耗性に優れると共に、繰り返し荷重に耐える特性を有する。また、優れた弾性を有することから切替動作抑止部の構成部材として好適である。
【産業上の利用可能性】
【００７５】
本発明は、通信機器等の電子機器装置や照明用の電源スイッチ等の誤操作防止に利用できる。
【符号の説明】
【００７６】
１００（１）・・波形ロッカースイッチ，１１０（１）・・ロッカー、１２０・・スイッチケース、１２２・・内縁、１３０・・電極端子、１１５ａ（１）・・第一オンオフ切替押圧部、１４０ａ（１）・・第一切替動作抑止部。
【図１】
2010212080.tif 000003
【図２】
2010212080.tif 000004
【図３】
2010212080.tif 000005
【図４】
2010212080.tif 000006
【図５】
2010212080.tif 000007
【図６】
2010212080.tif 000008
【図７】
2010212080.tif 000009
【図８】
2010212080.tif 000010
【図９】
2010212080.tif 000011